(57)【特許請求の範囲】
【請求項１】
上枠、下枠及び左右の縦枠からなる枠体内に上げ下げ可能な可動障子を設け、該可動障子を任意の高さ位置に保持可能に吊り下げるバランサを上記縦枠内に設けてなる上げ下げ窓又は上げ下げ窓付き戸において、上記縦枠は縦枠本体と縦枠本体の内側に配置される縦枠アタッチメントからなり、上記上下枠の端部を縦枠本体の内側に突き合わせるとともに、上記縦枠本体の内側には略コ字状の凹部を形成し、該凹部には上記上枠下面と下枠上面間に前記縦枠アタッチメントを嵌合固定し、該縦枠アタッチメントの内面の屋内側には上記可動障子のうちの内障子の摺動溝が形成され、上記内障子の上端の両側には外部から操作して上記摺動溝に係脱可能な係合片を備えたガイド部材を取り付けるとともに、上記摺動溝の開口側の両側にはスライド溝を向き合いに形成し、該スライド溝には上記内障子を支持する連結アームの両端部に設けられたローラを上下方向に摺動自在に係合させた
ことを特徴とする上げ下げ窓又は上げ下げ窓付き戸。
【発明の詳細な説明】
【０００１】
【発明の属する技術分野】
本発明は縦枠にバランサや可動障子の上げ下げをガイドする部品を収納する構造の上げ下げ窓又は上げ下げ窓付き戸に関する。
【０００２】
【従来技術とその問題点】
一般に、上げ下げ窓は、可動障子を上下動可能に保持する枠体の縦枠の内側にバランサや可動障子のガイド部品を収納している。このように、縦枠には可動障子を摺動させる摺動溝だけでなく、可動障子以外の部品の収納部を設ける必要があるため、自体の断面形状が複雑にならざるを得ない。例えば、実開平５-６６１９０号公報に示されるように、縦枠の内面には複雑な形状の突縁が突出形成されることになる。
【０００３】
その一方で、上記縦枠の左右の枠体と上下枠とにより上記枠体を組み立てるときは、縦枠の上下端の内側に上下枠の両端を突き合わせ、縦枠の外側からネジを挿通し、このネジを上下枠の長手方向に形成されたビスホールに螺着して固定するように構成されている。このため、縦枠の上下端部の内面に形成された突縁を切除して平面とし、この平面部分に上下枠の端部を突き合わせることが必要となる。
【０００４】
したがって、複雑な断面形状の縦枠を上下端の必要な部分だけ切除する作業は非常に面倒であった。
【０００５】
【発明が解決しようとする課題】
本発明は上記問題点を解消し、上げ下げ窓又は上げ下げ窓付き戸の両縦枠において、上枠及び下枠とが接続する部分の仕口加工が容易になり、加工工数を低減することができる構造の上げ下げ窓又は上げ下げ窓付き戸を提供することをその課題とする。
【０００６】
【発明を解決するための手段】
前記課題を解決するため、本発明に係る上げ下げ窓又は上げ下げ窓付き戸は、上枠、下枠及び左右の縦枠からなる枠体内に上げ下げ可能な可動障子を設け、該可動障子を任意の高さ位置に保持可能に吊り下げるバランサを上記縦枠内に設けてなる上げ下げ窓又は上げ下げ窓付き戸において、上記縦枠は縦枠本体と縦枠本体の内側に配置される縦枠アタッチメントからなり、上記上下枠の端部を縦枠本体の内側に突き合わせるとともに、上記縦枠本体の内側には略コ字状の凹部を形成し、該凹部には上記上枠下面と下枠上面間に前記縦枠アタッチメントを嵌合固定し、該縦枠アタッチメントの内面の屋内側には上記可動障子のうちの内障子の摺動溝が形成され、上記内障子の上端の両側には外部から操作して上記摺動溝に係脱可能な係合片を備えたガイド部材を取り付けるとともに、上記摺動溝の開口側の両側にはスライド溝を向き合いに形成し、該スライド溝には上記内障子を支持する連結アームの両端部に設けられたローラを上下方向に摺動自在に係合させたことを特徴とする。
【０００７】
【発明の実施の形態】
図１は閉じ状態の上げ下げ窓の斜視図、図２は下の内窓を開けた状態の斜視図を示す。また、図３、図４はそれぞれ上記上げ下げ窓の縦断面図、図３のＸ−Ｘ線上の断面図を示す。同図において符号１は枠体を示す。枠体１は上枠１ａ、下枠１ｂ及び左右の縦枠１ｃとから方形に枠組みされたもので、縦枠１ｃの内面の室内側には内障子２の摺動溝４が、屋外側には外障子３の摺動溝５がそれぞれ形成されている。内障子と外障子は可動障子でいずれも枠体とともにアルミニウムの押出形材によって形成され、閉じ状態では内障子２は下方に、外障子３は上方にあり、それぞれ上下方向に摺動可能に設けられている。内障子２は連結アーム６によって一定の角度以上は回動できないように構成されている（図２参照）。
【０００８】
内障子２と外障子３の各上端の両側にはそれぞれの縦枠１ｃの摺動溝４、５に係合可能なガイド部材７が取り付けられている。図２に示されるように、ガイド部材７は摺動溝４、５に係脱可能な係合片８を備え、係合片８を外部から操作して摺動溝４、５に係脱できるようになっている。これにより、内障子２と外障子３の上部は上記ガイド部材７によって摺動案内されている。また、内障子２と外障子３の各下端は図４に示すように、摺動溝４、５に配置された公知のバランサ（スパイラルバランサ）２５とその関連部材によって摺動案内され、回動自在に支持されている。
【０００９】
ところで、図３〜図５に示されるように、上記枠体は、縦枠１ｃの上下端の内側に上下枠1ａ、１ｂの両端を突き合わせ、縦枠１ｃの外側からネジ１０を挿通し、このネジ１０を上下枠1ａ、１ｂの長手方向に形成されたビスホール１１に螺着して固定するように構成されているとともに、上記縦枠１ｃは、図６〜図８に示されるように、縦枠本体１ｐと縦枠アタッチメント１ｑから構成されている。
【００１０】
縦枠本体１ｐは、主に図８（ａ）に示されるように、基板１３の外側中央に取付縁１４、その室内側及び室外側に突縁１４ａ、１４ｂを形成し、内側には主に室内側と室外側にそれぞれ突縁１６、１７を形成してなるもので、上記基板１３の内側面と室外側の突縁１７と室内側の突縁１６とにより略コ字状の凹部１８が形成されている。また、突縁１６、１７には、係合縁２０ａ、２０ｂが向き合いに形成されている。
【００１１】
次に、縦枠アタッチメント１ｑは上記凹部１８に嵌合可能な大きさで、その長手方向に沿って室内側と室外側とに摺動溝４、５が形成されている。また、摺動溝４、５を構成する外側の側板には係合部２１ａ、２１ｂが形成されている。上記両摺動溝４、５の間には中空部２２が形成されている。縦枠アタッチメント１ｑの上下端部は長手方向に対して直角に切断されている。直角切断のため加工は容易である。
縦枠アタッチメント１ｑの摺動溝４、５には、図６、図７に示されるように、上記各障子２、３の荷重と略同じ大きさの力を反対側に作用させることによって各障子２、３を支え、上記各障子２、３の上げ下げ位置を任意の高さに保持する公知のバランサ２５とその関連部材や連結アーム６の一端を上記内障子２の摺動溝４に摺動自在に保持する金具２４が設けられている。
【００１２】
すなわち、バランサ２５は図１１に示されるように、パイプ２６の内部中央にスパイラルロッド２７を設け、スパイラルロッド２７の周囲にスプリング（図示せず）を配置し、上記スパイラルロッド２７をカプリング２９の中央に形成した長穴を貫通させて下方に引き出し自在としたものである。そして、上記パイプ２６の上端にはスプリングのバネ力を調整する調整器３０、下端には上記内障子と外障子の下端を支持するピボットシュー３１が取り付けられている。
【００１３】
ピボットシュー３１には、図６及び図９に示されるように、軸受穴２８が形成されている。
【００１４】
上記構成のパイプ２６と調整器３０とピボットシュー３１は縦枠１ｃの摺動溝４、５の内部に収納されている。ピボットシュー３１は摺動溝４、５に摺動自在に収納されている。バランサ２５は摺動溝４、５の内部に嵌合され、調整器３０は上記縦枠アタッチメント１ｑにネジ止めされている。ピボットシュー３１の軸受穴２８は枠体１の内側を向くように配置されている。
【００１５】
また、摺動溝４、５の開口側のスライド溝１９には連結アーム６の一端のローラ２４を摺動自在に係合させておく。
【００１６】
なお、外障子３の摺動溝５の下部と内障子２の摺動溝４の上部には、それぞれ外障子３の下動と内障子２の上動を規制するストッパ３２が取り付けられる。
【００１７】
上記構成の縦枠本体１ｐと縦枠アタッチメント１ｑとにより縦枠１ｃを組み立てるときは、図６〜図８に示されるように、まず縦枠本体１ｐの内側の突縁１６、１７の上下端部を切除して仕口加工し、図８（ａ）（ｂ）に示されるように、その間の縦枠本体１ｐの凹部１８に、長方形に切断して上記バランサ２５等を収納固定した縦枠アタッチメント１ｑを嵌合し、係合縁２０ａ、２０ｂと係合部２１ａ、２１ｂとを係合させ、ネジ３３で止着固定すればよい。もちろん、バランサ等は縦枠本体１ｐに縦枠アタッチメント１ｑを固定した後に取り付けてもよい。そして、枠体を組むときは、図５に示すように、通常の通りに縦枠１ｃの内側上下端に上下枠1ａ、１ｂの各端部を突き合わせ、縦枠１ｃの外側からネジ１０を挿通し、このネジ１０を上下枠1ａ、１ｂの長手方向に形成されたビスホール１１に螺着して固定すればよい。なお、縦枠本体１ｐと縦枠アタッチメント１ｑとの間には縦枠アタッチメントの全長にわたりシール材３６（図７参照）を打っておけば、水密性が向上する。縦枠アタッチメント１ｑは上下枠1ａ、１ｂ間に設けられる。摺動溝４，５の内側にはその長手方向に沿ってスライド溝１９が形成されている。
【００１８】
上記各障子２、３を縦枠１ｃに取り付けるにあたっては、図９に示されるように、障子２を左又は右に傾けてその下端一側のピボット軸３４を同じ側のバランサ２５のピボットシュー３１の軸受穴２８に嵌合し、さらに障子を他方に傾けるようにして反対側のピボット軸３６を反対側のピボットシュー３１の軸受穴２８に嵌合する。障子３も同様である。そして、図１０に示されるように、内障子２の縦框に固定された金具３８には上記連結アーム６の遊端を係合させるとともに、上記障子の上端に設けたガイド部材７の係合片８（図２参照）を摺動溝４、５に係合させればよい。このようにして、上げ下げ窓が完成する。
【００１９】
上述のように、縦枠１ｃを、互いに分割された縦枠本体１ｐと縦枠アタッチメント１ｑとを結合する構成とし、複雑な断面構造の縦枠アタッチメント１ｑは単に直線的に切断加工し、単純な構造の縦枠本体１ｐについて突縁の切除加工をすればよいので、その仕口加工が容易となり、加工工数の低減を計ることができる。また、加工型の設備が少なくてすむので、コストダウンになる。
【００２０】
また、縦枠本体１ｐの内側に形成された略コ字状の凹部１８に縦枠アタッチメント１ｑを嵌合して固定するものであるから、縦枠アタッチメント１ｑの位置決めが簡単で、取り付けも容易、確実に行うことができる。また、水密性も向上する。
【００２１】
さらに、縦枠アタッチメント１ｑが上下枠1ａ、１ｂ間に設けられているので、縦枠本体１ｐとの一体性が確保でき、水密性がよくなる。
【００２２】
また、バランサ２５を収納する摺動溝４、５と連結アーム６を上下にスライドさせるスライド溝１９を別個に形成したので、連結アーム６の摺動部形状が単純になり、摺動がスムーズになる。
【００２３】
なお、上述の実施形態は、縦枠アタッチメントを縦枠本体に嵌合したものであるが、両者の結合態様はこれに限定されず、縦枠アタッチメントを縦枠本体に係合することによって取り付けるようにしてもよい。
【００２４】
同様に、上述の実施形態はダブルハング式の上げ下げ窓であるが、シングルハング式の上げ下げ窓にも適用することができる。
【００２５】
また、上述の上げ下げ窓構成は、上げ下げ窓付き戸にも適用することができる。
【００２６】
【発明の効果】
請求項１に係る発明によれば、縦枠を縦枠本体と縦枠アタッチメントとに分割する構成としたので、上枠や下枠と連結する縦枠本体の上下端部の構造を単純化することができ、その仕口加工が容易となるので、加工工数の低減を計ることができる。縦枠アタッチメントの上下端部の加工は、直角切断のため加工が容易になる。また、加工型の設備が少なくてすむので、コストダウンになる。また、縦枠本体の内側に形成された略コ字状の凹部に縦枠アタッチメントを嵌合して固定するものであるから、縦枠アタッチメントの位置決めが簡単で、取り付けも容易、確実に行うことができる。また、水密性も向上する。さらに、縦枠本体と縦枠アタッチメントとが嵌合する構造のため、組み立て位置の位置決めを確実に行うことができるとともに、確実な結合ができる。また、縦枠アタッチメントが上下枠間に設けられているので、縦枠本体との一体性が確保でき、水密性がよくなるとともに、バランサを収納する摺動溝と連結アームを上下にスライドさせるスライド溝を別個に形成したので、連結アームの摺動部形状が単純になり、摺動がスムーズになる。
【図面の簡単な説明】
【図１】  本発明に係る上げ下げ窓の斜視図
【図２】  上記上げ下げ窓の内障子を倒した状態の斜視図
【図３】  上記上げ下げ窓の縦断面図
【図４】  図３のＸーＸ線上の断面図
【図５】  枠体の組み立て態様説明図
【図６】  縦枠を内側から見た側面図
【図７】  上記縦枠の平面図
【図８】  （ａ）（ｂ）はそれぞれ縦枠の分解図及び組み上り図
【図９】  障子の組み付け態様を示す斜視図
【図１０】  連結アームの取付態様説明図
【図１１】  バランサと調整器とピボットシューの正面図
【符号の説明】
１  枠体
１ｃ  縦枠
１ｐ  縦枠本体
１ｑ  縦枠アタッチメント
２、３  可動障子
１８  凹部
２５  バランサ
【図１】
0003774639.tif 000002
【図２】
0003774639.tif 000003
【図３】
0003774639.tif 000004
【図４】
0003774639.tif 000005
【図５】
0003774639.tif 000006
【図６】
0003774639.tif 000007
【図７】
0003774639.tif 000008
【図８】
0003774639.tif 000009
【図９】
0003774639.tif 000010
【図１０】
0003774639.tif 000011
【図１１】
0003774639.tif 000012